(57)【特許請求の範囲】
【請求項１】
エアゾール缶と、該エアゾール缶に取着された吐出ノズルと、エアゾール缶の肩部に保持され吐出ノズルを案内する肩カバーとからなるエアゾール容器であって、
肩カバーが、吐出ノズルの上下動を案内する外筒と、吐出ノズルの廻動位置を規定する切欠部を設けた位置決め案内筒を立設した支持壁と、
支持壁と外筒下端とを連結し、肩カバーをエアゾール缶の肩部に載置保持する連結板とを具備しており、
吐出ノズルが、位置決め板を具備しており、
位置決め板は、位置決め案内筒と相対的に上下動および廻動可能として係合し、両者の係合位置により、吐出ノズルを特定の作動が実施可能な位置に位置決めしていることを特徴とするエアゾール容器。
【請求項２】
位置決め案内筒の切欠部が、吐出ノズルの最上昇位置で押下げ不能とする位置を規定する段部と、吐出ノズルを押下げ、上下動操作可能とする吐出位置を規定する切欠溝を備えていることを特徴とする請求項１記載のエアゾール容器。
【請求項３】
位置決め案内筒の切欠部が、吐出ノズルを、残留ガスの抜き取り位置に案内する案内溝と係止溝を有していることを特徴とする請求項１または２記載のエアゾール容器。
【請求項４】
連結板が、外筒の押圧により、支持壁との接続部を軸に変形して外方に偏寄され、肩カバーがエアゾール缶から取り外されるようにしたことを特徴とする請求項１〜３のいずれかに記載のエアゾール容器。
【請求項５】
吐出ノズルの側周壁に切欠けを設け、切欠けの間隔を縮小させるよう押圧して、側周壁の外径を縮小させるようにしたことを特徴とする請求項１〜４のいずれかに記載のエアゾール容器。
【発明の詳細な説明】
【０００１】
【発明の属する技術分野】
本発明は、エアゾール容器、とくに使用済みエアゾール缶の残留ガスの抜き取り機構と、吐出ノズル、肩カバー等のプラスチックと金属缶との分別機構を具えたエアゾール容器における肩カバーに関する。
【０００２】
【発明が解決しようとする課題】
吐出ノズルをエアゾールバルブのステムに取着したエアゾール容器において、吐出ノズルの上下動を案内するための支持案内部材を具えた肩カバーをエアゾール容器のマウンティングカップの取付環部に取り付けた容器は、従来より知られている。
【０００３】
近年、ごみ処理、資源の再利用のために、使用済みエアゾール容器の廃棄にあたっては、残留ガスの抜き取りとともに、金属製のエアゾール缶とプラスチック部品との分別廃棄が求められるようになっており、肩カバーを金属製缶から分別する分別機構を設けたエアゾール容器も周知となっている。
【０００４】
しかしながら、従来の分別機構は、構造が複雑であり、分別時の操作性もよくないという問題があった。
【０００５】
本発明は、上記問題を解決することを一つの課題とするとともに、さらにエアゾール容器の使用中に、内容物を吐出しない時には、吐出ノズルをロック位置に維持すること、およびエアゾール容器の全ての内容物を吐出し終わったときに残留ガスを抜き取るようにすることをいま一つの課題とし、残留ガスの抜き取りと、金属缶とプラスチック部品の分別が簡単にできるようにしたエアゾール容器を提供することを目的とする。
【０００６】
【課題を解決するための手段】
本発明は、上記の課題を解決するため、エアゾール容器として、エアゾール缶と、該エアゾール缶に取着された吐出ノズルと、エアゾール缶の肩部に保持され吐出ノズルを案内する肩カバーとからなるエアゾール容器であって、肩カバーが、吐出ノズルの上下動を案内する外筒と、吐出ノズルの廻動位置を規定する切欠部を設けた位置決め案内筒を立設した支持壁と、支持壁と外筒下端とを連結し、肩カバーをエアゾール缶の肩部に載置保持する連結板とを具備しており、吐出ノズルが、位置決め板を具備しており、位置決め板は、位置決め案内筒と相対的に上下動および廻動可能として係合し、両者の係合位置により、吐出ノズルを特定の作動が実施可能な位置に位置決めしていることを特徴とする構成を採用する。
【０００７】
位置決め案内筒の具体的な実施態様として、位置決め案内筒の切欠部が、吐出ノズルの最上昇位置で押下げ不能とする位置を規定する段部と、吐出ノズルを押下げ、上下動操作可能とする吐出位置を規定する切欠溝を備えていることを特徴とする構成、さらに、位置決め案内筒の切欠部が、吐出ノズルを、残留ガスの抜き取り位置に案内する案内溝と係止溝を有していることを特徴とする構成を付加する。
【０００８】
分別機構の具体的な実施態様として、連結板が、外筒の押圧により、支持壁との接続部を軸に変形して外方に偏寄され、肩カバーがエアゾール缶から取り外されるようにしたことを特徴とする構成を付加し、また、吐出ノズルの分別を容易にするための具体的な実施態様として、吐出ノズルの側周壁に切欠けを設け、切欠けの間隔を縮小させるよう押圧して、側周壁の外径を縮小させるようにしたことを特徴とする構成を採用する。
【０００９】
【発明の実施の形態】
次に、本発明エアゾール容器について、図面を参照して説明する。
図１において、Ａは金属製のエアゾール缶、Ｂはエアゾール缶の肩部に装着された肩カバー、Ｃは吐出ノズルであり、肩カバーＢ、吐出ノズルＣは、いずれも合成樹脂をもって成形されている。
【００１０】
エアゾール缶Ａは、缶本体１と該缶本体１の肩部１ａの上端の開口部に巻き付けられたマウンティングカップ２とを具えている。
マウンティングカップ２の巻付け部は、肩カバーＢの取付部３を形成しており、また、マウンティングカップ２の中央部には、エアゾールバルブのハウジングが取着されており、該ハウジングにはステム４が立設され、マウンティングカップ２中央部から突出している。
【００１１】
図２に示すように、肩カバーＢは、吐出ノズルＣを案内する外筒１０とマウンティングカップ２の取付部３に載置される環状の支持壁１１と、外筒１０の下端と支持壁１１周辺を連結する一対の連結板１２とを具えている。
【００１２】
外筒１０の上端には、内周縁から内方に突出する突条１３が設けられており、外筒１０の下端は、エアゾール缶Ａの肩部１ａ下端に接合している。
連結板１２は、エアゾール缶Ａの肩部１ａの傾斜面と取付部３の外周面に接合する傾斜部１２ａと垂直部１２ｂとから形成され、垂直部１２ｂの上端は、支持壁１１に連設され、垂直部１２ｂの下部には、取付部３の外周下端に係合する係止突条１４が設けられている。
支持壁１１の上面には、吐出ノズルＣの廻動位置と上下位置を規定する位置決め案内筒１５が立設されており、所定位置には、切欠部１６が形成されている。
【００１３】
図３に示すように、切欠部１６は、その一方の垂直辺１６ａを端縁とする吐出ノズルＣの吐出位置を規定する切欠溝１７と、ロック位置を規定する段部１８と、段部１８と前記切欠溝１７の一方の下方部とを接続する傾斜部１９とを具えており、段部１８の両端縁には、膨出部２０ａ，ｂが設けられている。
傾斜部１９の反対側には、段部１８の上端から延びる傾斜辺２１と、切欠部１６の一方の垂直辺１６ｂを端縁とする吐出ノズルＣをガス抜き位置に案内する案内溝２２が形成され、垂直辺１６ｂの下端には、上面端縁に膨出部２３を設けた係止溝２４が刻設されている。
【００１４】
図４に示すように、外筒１０の表面には、連結板１２に対応する位置に横方向に延びる複数の細条によってすべり止め２５が設けられ、切欠溝１７、段部１８、案内溝２２に対応する位置に、「開」「閉」「ガス抜き」の表示２６ａ，２６ｂ，２６ｃが印字されている。
【００１５】
図５に示すように、吐出ノズルＣは、中央に係合筒３０を垂設した頂壁３１と、側周壁３２、係合筒３０に連設され、側周壁３２上端から突出するノズル３３とを具えている。
係合筒３０の下端には、エアゾール缶Ａのステム４に嵌挿される嵌合孔３４が設けられ、係合筒３０の中央には、嵌合孔３４に連続する連通孔３５が穿孔されている。
【００１６】
ノズル３３には、連通孔３５に連通するノズル孔３６が穿孔されており、ノズル３３と係合筒３０との間には、位置決め板３７が架設されている。
位置決め板３７の下端には、位置決め案内筒１５の係止溝２４に係合する係止突条３８が設けられており、係止突条３８を含む板厚は、切欠溝１７に緩挿されるようその溝巾より薄くされている。
【００１７】
側周壁３２の外周面は、肩カバーＢの外筒１０上端の突条１３に接合しており、側周壁３２の下端には、突条１３の下側に係合する膨出環３９が設けられている。
側周壁のノズル３３下方には、一定間隔を有する切欠け４０が刻設されており、さらに、ノズル３３の反対側にも切欠けを刻設するようにしてもよい。
【００１８】
次に、本発明エアゾール容器の使用態様と作用効果について説明する。
エアゾール容器には、内容液として薬液、化粧料が噴射剤とともに封入されて、吐出ノズルＣを押下げ、ステム４を押圧することによってエアゾールバルブが開かれ、クリーム状液あるいは泡状液が吐出ノズルＣから吐出される。
【００１９】
吐出ノズルＣのノズル３３の方向を「閉」の表示２６ｂに合わせておくと、位置決め板３７が段部１８に位置し、吐出ノズルＣの押下げが阻止され、みだりに吐出ノズルＣを押下げようとしても押下げられない。
内容物を吐出しようとするときには、ノズル３３の方向を「開」の表示２６ａに合わせると、位置決め板３７が切欠溝１７に合致し、吐出ノズルＣの押下げが可能となり、吐出ノズルＣを押下げることによって内容物をノズル孔３６より吐出することができる。
【００２０】
所要量の内容物を吐出した後、エアゾール容器をしまっておく時には、ノズル３３を「閉」の位置に合わせると、吐出ノズルＣの押下げが阻止され、ロック状態となる。
【００２１】
かくして、全ての内容物の吐出が終了し、エアゾール容器を廃棄するときには、まず残留ガスの抜き取りを行う。
ガスの抜き取りは、ノズル３３を「ガス抜き」の表示２６ｃに合わせ、吐出ノズルＣを押下げていくと、位置合わせ板３７が傾斜辺２１に案内されて廻動しながら下降し、最下降位置に達したときにノズル３３を廻すと、係止突条３８が案内溝２２下端の係止溝２４に係合し、手を離しても膨出部２３に抑えられて係合状態が維持される。
したがって、吐出ノズルＣが押下げ位置に維持され、残留ガスが抜き取られる。
【００２２】
次に、ノズル３３の方向を元に戻すと、係止突条３８が係止溝２４から離れ、吐出ノズルＣが上昇し、側周壁３２下端の膨出環３９が外筒１０の突条１３に係合し、上昇位置に維持される。
【００２３】
次に、吐出ノズルＣの側周壁３２を切欠け４０の間隔が狭くなるよう両側から押圧すると、側周壁３２の外径が縮小され、側周壁３２の膨出環３９は、外筒１０の突条１３より抜けやすくなり、その時に吐出ノズルＣを引き上げると、吐出ノズルＣは簡単に取り外すことができる。
【００２４】
次に、外筒１０のすべり止め２５の部分を内方に押圧すると、外筒１０の下端と連結板１２とが、連結板１２と支持壁１１との接続部を軸として外方に偏寄され、係止突条１４がマウンティングカップ２の取付部３から離れ、肩カバーＢをエアゾール缶Ａから取り外すことができる。
かくして、使用済みのエアゾール容器を、残留ガスを抜き取った後に、金属缶と合成樹脂製の吐出ノズルＣ、肩カバーＢを分別して廃棄することができる。
【００２５】
前記実施形態では、吐出ノズルを取着したエアゾール容器について説明したが、吐出ノズルに変え、噴霧ノズルを取り付け、内容液を噴霧するようにしてもよい。
【００２６】
【発明の効果】
本発明は、上記のように構成されているから、次の効果を奏する。
肩カバーに、吐出ノズルの廻動位置を規定する位置決め案内筒を具えているから、吐出ノズルをロック状態と押下げ可能な吐出位置に廻動することができ、誤って吐出ノズルを押上げることを阻止することができ、また、吐出ノズルをガス抜き可能な位置に廻動することができ、廃棄時に、残留ガスを抜き取ることができる。
【００２７】
吐出ノズルの側周壁に切欠けを設け、外径を縮小できるようにしたので、吐出ノズルの取り外しが簡単にできる。
【００２８】
肩カバーに、支持壁と外筒下端を結ぶ一対の連結板を設けてエアゾール缶に取着するようにしているから、連結板に対応する外筒の上端を内方に押圧することによって、連結板を外方に偏寄させ、連結板の係止突条がマウンティングカップの取付部から離れるので、肩カバーを簡単に取り外すことができる。
【００２９】
したがって、廃棄にあたって、残留ガスの抜き取りと、金属缶とプラスチック部品との分別廃棄が簡単にできるようになった。
【図面の簡単な説明】
【図１】本発明エアゾール容器の断面正面図である。
【図２】肩カバーの説明図で、（ａ）は上面図、（ｂ）は断面正面図、（ｃ）は底面図である。
【図３】位置決め案内筒の展開図である。
【図４】表示を説明する外筒の斜視図である。
【図５】  吐出ノズルの説明図で、（ａ）は一部断面正面図、（ｂ）は底面図、（ｃ）は側面図である。
【符号の説明】
Ａ      エアゾール缶
Ｂ      肩カバー
Ｃ      吐出ノズル
１      缶本体
１ａ    肩部
２      マウンティングカップ
３      取付部
４      ステム
１０    外筒
１１    支持壁
１２    連結板
１２ａ  傾斜部
１２ｂ  垂直部
１３    突条
１４    係止突条
１５    位置決め案内筒
１６    切欠部
１６ａ，ｂ  垂直辺
１７    切欠溝
１８    段部
１９    傾斜部
２０ａ，ｂ  膨出部
２１    傾斜辺
２２    案内溝
２３    膨出部
２４    係止溝
２５    すべり止め
２６ａ，ｂ，ｃ  表示
３０    係合筒
３１    頂壁
３２    側周壁
３３    ノズル
３４    嵌合孔
３５    連通孔
３６    ノズル孔
３７    位置決め板
３８    係止突条
３９    膨出環
４０    切欠け
【図１】
0004125497.tif 000002
【図２】
0004125497.tif 000003
【図３】
0004125497.tif 000004
【図４】
0004125497.tif 000005
【図５】
0004125497.tif 000006